(57)【要約】      （修正有）【課題】キーボード全体の厚さを薄くすることができ、スリム化を実現することができる発光機能付きキーボードを提供する。【解決手段】キーボード部１０と、前記キーボード部１０を受ける基板２０と、を含み、前記キーボード部１０は、ユーザが押圧可能な複数の押圧具と、前記押圧具の下面に設けられる連動手段と、を含み、前記基板２０には前記連動手段の他端を組付可能な組付部２１が設けられている発光機能付きキーボードにおいて、前記基板２０の表面側には光線案内溝２４が少なくとも一つ設けられており、前記光線案内溝２４は、内壁面のうちの少なくとも一つが反射面であり、且つその内部には光線を伝達するための光線通路が形成されており、前記光線案内溝２４によって伝達される光線が前記反射面によって前記キーボード部１０に反射され押圧具が照明される。【選択図】図１
0003145870.tif 000002
【実用新案登録請求の範囲】
【請求項１】
キーボード部１０と、前記キーボード部１０を受ける基板２０と、を含み、前記キーボード部１０は、ユーザが押圧可能な複数の押圧具１１と、前記押圧具１１の下面に設けられ前記押圧具１１が押圧されると変位する連動手段１２と、を含み、前記基板２０には前記連動手段１２の他端を組付可能な組付部２１が設けられている発光機能付きキーボードにおいて、
前記基板２０の表面側には光線案内溝２４が少なくとも一つ設けられており、前記光線案内溝２４は、内壁面のうちの少なくとも一つが反射面２４１、２４２、２４６であり、且つその内部には光線を伝送するための光線通路が形成されており、前記光線案内溝２４によって伝達される光線が前記反射面２４１、２４２、２４６によって前記キーボード部１０に反射され押圧具１１が照らされることを特徴とする
発光機能付きキーボード。
【請求項２】
前記光線案内溝２４の内壁面のうちの二つが反射面２４１、２４２であり、且つ前記反射面２４１、２４２によって光線が隣接するキーボード部１０に反射されることを特徴とする、請求項１に記載の発光機能付きキーボード。
【請求項３】
前記光線案内溝２４の深さは、光源との距離が離れるほど、浅くなることを特徴とする、請求項１に記載の発光機能付きキーボード。
【請求項４】
前記光線案内溝２４の末端に発光器３０が配されていることを特徴とする、請求項１に記載の発光機能付きキーボード。
【請求項５】
前記光線案内溝２４の内部に発光器３０が配されていることを特徴とする、請求項１に記載の発光機能付きキーボード。
【考案の詳細な説明】
【技術分野】
【０００１】
本考案は、発光機能付きキーボードに関し、特に、キーボード全体の厚さを薄くすることができ、スリム化を実現することができる発光機能付きキーボードに関するものである。
【背景技術】
【０００２】
昨今、キーボードはコンピュータシステムの不可欠な入力装置になり、且つコンピュータシステムの使用環境及び使用時が多様になったので、キーボードの機能がユーザの使用に合うように、キーボードの構造を改良することが必要になる。低い光度又は暗い環境においてユーザがキーボードから正確に入力可能にするために、発光機能を有するキーボードが多々開発された。特許文献１乃至特許文献４などの記載には、キーの内部に発光ダイオードが配されており、前記発光ダイオードにより単一のキーに光線が供給され、低い光度又は暗い環境においてユーザが各キーを正確に識別できることが開示されている。しかしながら、キーボードのキーの数量は百個以上あり、各キーに発光ダイオードを設けると、キーボードの部品の点数が膨大になり、生産工数が増加し、製品のスリム化が実現できない。そして大量の発光ダイオードは、大量の電力を消耗し、点灯による発熱が大量に発生する。
【０００３】
もう一種類の発光機能を有するキーボードは、特許文献５乃至特許文献２４がある。これらのキーボードは、底板の上又は下に、電子発光シート（Ｅｌｅｃｔｒｏｌｕｍｉｎｅｓｃｅｎｔ  Ｓｈｅｅｔ）や光ファイバーパネル（Ｏｐｔｉｃａｌ  Ｆｉｂｅｒ  ｐａｎｅｌ）などのバックライトシートが設けられている。これにより、低い光度又は暗い環境においてユーザが各キーを正確に識別することができる。このような発光キーボードは、単一のバックライトシートによってキーボートを均一に発光させることができる。また、キーの内部に発光ダイオードが設けられているキーボードと比較すると、部品点数を削減することができるため、組付工数を削減することができる。また、電子発光シートや光ファイバーパネルなどのバックライトシートの電力消耗が少ないなどのメリットがある。
【０００４】
一方、特許文献２５及び特許文献２６には、バックライトを有するキーボードが開示され、それは、上板と底板の間に光線伝送スペースが形成され、前記上板にある発光部には前記光線伝送スペースに向いている光線案内部が少なくとも一つ設けられており、前記光線案内部により光源からの光線がキーボードの発光部に伝送される。
【０００５】
【特許文献１】米国特許第５９３６５５４号明細書
【特許文献２】米国特許第７２７８７５０号明細書
【特許文献３】台湾特許第５６６６１２号明細書
【特許文献４】台湾特許第５８１９６１号明細書
【特許文献５】米国特許第６１７９４３２号明細書
【特許文献６】米国特許第６１９９９９６号明細書
【特許文献７】米国特許第６２１７１８３号明細書
【特許文献８】米国特許第６２８４９８８号明細書
【特許文献９】米国特許第６３２２２２９号明細書
【特許文献１０】米国特許第６５５４４４２号明細書
【特許文献１１】米国特許第６５９０５０８号明細書
【特許文献１２】米国特許第６６４８５３０号明細書
【特許文献１３】米国特許第６８６０６１２号明細書
【特許文献１４】米国特許第７２３５７５２号明細書
【特許文献１５】米国特許第７２３９３０３号明細書
【特許文献１６】米国特許第７３８８１６７号明細書
【特許文献１７】台湾特許第５０９９５５号明細書
【特許文献１８】台湾特許第５１６６７１号明細書
【特許文献１９】台湾特許第５８７８００号明細書
【特許文献２０】台湾特許第５９４５４６号明細書
【特許文献２１】台湾特許第Ｉ２３０９５７号明細書
【特許文献２２】台湾特許第Ｉ２３１６９３号明細書
【特許文献２３】台湾特許第Ｍ２４０６６８号明細書
【特許文献２４】台湾特許第Ｍ３１３２８１号明細書
【特許文献２５】台湾特許第Ｉ２６９３３３号明細書
【特許文献２６】米国特許出願公開第１１／２８８２５８号明細書
【考案の開示】
【考案が解決しようとする課題】
【０００６】
本考案の主な目的は、部品点数を減少することにより、キーボード全体の厚さを薄くすることができ、スリム化を実現することができる発光機能付きキーボードを提供することにある。
【課題を解決するための手段】
【０００７】
本考案の請求項１に記載の発光機能付きキーボードによると、キーボード部と、前記キーボード部を受ける基板と、を含み、前記キーボード部は、ユーザが押圧可能な複数の押圧具と、前記押圧具の下面に設けられ前記押圧具が押圧されると変位する連動手段と、を含み、前記基板には前記連動手段の他端を組付可能な組付部が設けられている発光機能付きキーボードにおいて、前記基板の表面側には光線案内溝が少なくとも一つ設けられており、前記光線案内溝は、内壁面のうちの少なくとも一つが反射面であり、且つその内部には光線を伝送するための光線通路が形成されており、前記光線案内溝によって伝送される光線が前記反射面によって前記キーボード部に反射され押圧具が照らされることを特徴とする発光機能付きキーボードである。
【０００８】
本考案の請求項２に記載の発光機能付きキーボードによると、前記光線案内溝の内壁面のうちの二つが反射面であり、且つ前記反射面によって光線が隣接するキーボード部に反射される。
本考案の請求項３に記載の発光機能付きキーボードによると、前記光線案内溝の深さは、光源との距離が離れるほど、浅くなる。
【０００９】
本考案の請求項４に記載の発光機能付きキーボードによると、前記光線案内溝２４の末端に発光器３０が設けられている。
本考案の請求項５に記載の発光機能付きキーボードによると、前記光線案内溝２４の内部に発光器３０が設けられている。
【考案の効果】
【００１０】
本考案の発光機能付きキーボードによれば、次のような効果がある。
（１）光線案内溝を介して光線を伝送するので、発光ダイオードの点数を削減することができる。また、部品点数を削減することができる。
（２）キーボードの内部には、電子発光シートや光ファイバーパネルなどのバックライトシートを設けることが必要ないので、キーボード全体の厚さを薄くすることができ、スリム化を実現することができる。
【考案を実施するための最良の形態】
【００１１】
以下、本考案の実施の形態を図面に基づいて説明する。
［実施例１］
まず、図１、図２及び図３（ａ）を参照する。本考案に係る発光機能付きキーボードは、ケース本体４０内に設けられているキーボード部１０と、キーボード部１０を受ける基板２０と、を含む。キーボード部１０は、ユーザが押圧可能な複数の押圧具１１と、押圧具１１の下面に設けられ押圧具１１が押圧されると変位する連動手段１２と、を含む。連動手段１２の内部には、押圧具１１を上下の往復動するための弾性子１３が設けられている。基板２０には連動手段１２の他端を組付可能な組付部２１が設けられている。本実施例では、基板２０は、組付部２１が設けられている上板２２と、押圧具１１の変位によって指令信号を発生する回路板２３と、を含む。
【００１２】
基板２０の表面側には光線案内溝２４が少なくとも一つ設けられている。光線案内溝２４の内部には光線を伝送するための光線通路が形成されており、光線案内溝２４と押圧具１１と基板２０との間には発光スペース３１が形成されている。基板２０には光線を発射して光線案内溝２４に入射する発光器３０が配されている。光線案内溝２４に入射された光線は光線通路を沿って進行する。発光器３０は、図１に示すように光線案内溝２４の末端に設けてもいいし、図４に示すように光線案内溝２４の内部に設けてもよい。
【００１３】
光線案内溝２４は、内壁面のうちの少なくとも一つが反射面である。本実施例では、図３（ａ）に示すように、光線案内溝２４は二つの第一反射面２４１及び第二反射面２４２を有する。光線案内溝２４内の光線を周囲にある発光スペース３１に発散するために、光線案内溝２４はＶ字形又はＵ字形の断面形状を呈する。第一反射面２４１又は第二反射面２４２と基板２０の表面は反射角度θを成す。反射角度θは０度〜１８０度であり、且つ第一反射面２４１、第二反射面２４２には反射層２４３が設けられている。発光器３０からの光線が光線案内溝２４に入射する場合には、光線が第一反射面２４１又は第二反射面２４２の反射角度θによって第一反射面２４１と第二反射面２４２の間を進行することにより遠くまで届き、また、光線案内溝２４により光線が押圧具１１と基板２０の間に形成された発光スペース３１の内部に進行し、反射面２４１、２４２の反射角度θにより光線が発光スペース３１に反射される。そうすると、押圧具１１が照らされる。また、光線案内溝２４は、図３（ｂ）に示すように、内壁面のうちの一つだけが反射面２４６であってもよく、本実施例では、反射面２４６と基板２０の表面は反射角度θを成し、反射角度θは０度〜１８０度であり、且つ反射面２４６の表面には反射層２４３が設けられている。光線が光線案内溝２４に入射する場合には、反射面２４６により光線が発光スペース３１内にある押圧具１１に反射される。
【００１４】
［実施例２］
発光器３０からの光線は、光源との距離が離れるほど、光度が減少する。そこで、本考案の実施例２に係る発光機能付きキーボードは、図５に示すように、光線案内溝２４の深さが、発光器３０との距離が離れるほど、浅くなる。すなわち、光線案内溝２４に入射した光線は、発光器３０からの距離が離れるほど、浅くなる。よって、光線案内溝２４内の反射可能なスペースが小さくなり、光線が発光スペース３１側へ容易に発散することができる。これにより、キーボード全体の光度が均一になる。本実施例では、光線案内溝２４の内部には、光線案内溝２４の深さを調整するための平滑な斜面２４４が設けられている。又は、図６に示すように、光線案内溝２４の深さを調整するための段階付き斜面２４５を少なくとも一つ設けてもよい。これにより、光線案内溝２４の深さを、発光器３０との距離が離れるほど、浅くすることができる。
【００１５】
このように、本考案の実施例を説明したが、これらは本考案を限定するものではない。この分野に通常の知識を有する者は、本考案の精神および範囲を逸脱することなく、ここで開示された実施例に変更、追加、または、削除を施してもよい。
【図面の簡単な説明】
【００１６】
【図１】本考案の実施例に係る発光機能付きキーボードの一部の分解斜視図である。
【図２】本考案の実施例に係る発光機能付きキーボードのＡ−Ａ線の断面図である。
【図３】（ａ）は本考案の実施例に係る発光機能付きキーボードのＢ−Ｂ線の断面図である。（ｂ）は本考案の実施例に係る発光機能付きキーボードの光線案内溝内には反射面とする内壁面を一つ有することを示す断面図である。
【図４】本考案の実施例に係る発光機能付きキーボードの発光器が光線案内溝内に配されていることを示す概略図である。
【図５】本考案の実施例に係る発光機能付きキーボード内に平滑な斜面を持つ光線案内溝が設けられていることを示す概略図である。
【図６】本考案の実施例に係る発光機能付きキーボード内に段階状な斜面を持つ光線案内溝が設けられていることを示す概略図である。
【符号の説明】
【００１７】
１０    キーボード部
１１    押圧具
１２    連動手段
１３    弾性子
２０    基板
２１    組付部
２４    光線案内溝
３０    発光器
３１    発光スペース
４０    ケース本体
２４１  第一反射面
２４２  第二反射面
２４３  反射層
２４４  斜面
２４５  斜面
２４６  反射面
【図１】
0003145870.tif 000003
【図２】
0003145870.tif 000004
【図３】
0003145870.tif 000005
【図４】
0003145870.tif 000006
【図５】
0003145870.tif 000007
【図６】
0003145870.tif 000008